(57)【要約】      （修正有）【課題】タンクが大型化した場合でも足場での作業の高い安全性を確保できるタンクコンテナを提供すること。【解決手段】液体又は粉体の送出入用マンホールを上面に備える前後方向に長いタンク、その両側面の前端と後端との各々に立設配置された支柱及びこれらの支柱の内、タンクの各側面に配置された一対の支柱を互いに連結する梁材とを含む枠体、タンクの上方で且つ少なくとも一方の梁材に沿って配置される、タンクの前後方向に伸びる足場、足場に近接してタンクの上下に架けられる梯子を備えたタンクコンテナに、上記梯子に近接する梁材又は足場にタンクの前後方向に沿って互いに間隔をあけて接続され、梁材又は足場との接続部位を支点とする前後方向の回転により立ち上げ可能な複数の支柱と、これらの複数の支柱の間に架設され、各支柱との接続部位を支点とする上記回転により上昇する手摺りとが備えられた手摺り付きのタンクコンテナ。【選択図】図１
2007131332.tif 000002
【特許請求の範囲】
【請求項１】
液体もしくは粉体の送出入を可能にする開閉可能なマンホールを上面に備える前後方向に長いタンク、該タンクの両側面の前端と後端との各々に立設配置されている支柱及び該支柱の内、タンクの各側面に配置された一対の支柱を互いに連結している梁材とを含む枠体、該タンクの上方で且つ少なくとも一方の梁材に沿って配置されている、タンクの前後方向に伸びる足場、そして該足場に近接してタンクの上下に架けられている梯子を備えるタンクコンテナに、上記梯子に近接する梁材もしくは足場にタンクの前後方向に沿って互いに間隔をあけて接続され、該梁材もしくは足場との接続部位を支点とする前後方向の回転により立ち上げ可能な複数の支柱と、該複数の支柱の間に架設され、各支柱との接続部位を支点とする上記回転により上昇する手摺りとが備えられている手摺り付きのタンクコンテナ。
【請求項２】
梯子がタンクの前面側もしくは後面側にてタンクの上下に架けられている請求項１に記載のタンクコンテナ。
【請求項３】
支柱の各々が梯子の側に立ち上げ可能とされている請求項２に記載のタンクコンテナ。
【請求項４】
梯子の側の支柱に取っ手が備えられている請求項３に記載のタンクコンテナ。                                                                             
【発明の詳細な説明】
【技術分野】
【０００１】
本発明は、車両や船舶に積載されて運搬されるタンクコンテナに関する。
【背景技術】
【０００２】
労働安全衛生規則第５１９条において、高さが２ｍ以上の作業床の端で、墜落により作業者（労働者）に危険を及ぼす恐れのある箇所には、囲いや手摺りを設けることが義務づけられている。そして同条第２項では、作業床に囲いや手摺りを設けることが困難な場合には、作業者に安全帯を使用させるなどして墜落による危険を防止する措置を講じなければならないとされている。
【０００３】
一方、タンクコンテナを積載したトレーラにおいては、液体や粉体の輸送効率の観点からタンクが大型化され、高さが２ｍを超えるタンクが備えられていることが一般的である。従って作業者は、例えば、タンクの上面に備えられたマンホールから液体や粉体を出し入れするためにタンクの上に登り、タンクの上に備えられた足場にて高所での作業を行なうことになる。また、タンクコンテナを積載したトレーラの車高は国土交通省の車両制限令によって所定の高さ以下に制限されているため、上記のように大型化したタンクの足場に囲いや手摺りを設けることは難しい。このような事情から、タンクの上に居る作業者は、タンクの適当な構造物（例えば、上記のマンホールの開閉に用いる取っ手など）に安全帯のフックを取り付けて作業を行ない、高所からの墜落の発生を防止している。
【０００４】
しかしながら、安全帯のフックの取り付けができる構造物が適当な場所に存在しないことがある。また適当な構造物が存在する場合であっても、この構造物は、作業者が落下した際に加わる荷重に耐えられるように設計されている訳ではない。このため作業者が落下した場合に、安全帯フックを取り付けた構造物が破損して、作業者の安全を十分に確保できない恐れがある。
【０００５】
特許文献１には、移動自在とされた走行基台、この走行基台の上面に設けられた高さ方向に伸縮自在とされた支柱と、この支柱の上部位置に取り付けられたブラケット状の安全帯取付け部材などから構成される安全帯取付け装置が開示されている。そして、この安全帯取付け装置は、例えば、運搬車両上での作業を生じた場合に簡単に車両の脇に設置ができ、作業員の安全を確保できるとされている。
【特許文献１】特許第３２８５８４０号公報
【発明の開示】
【発明が解決しようとする課題】
【０００６】
特許文献１の安全帯取付装置は、運搬車両上で作業を行う際に作業者の安全を確保するために有利に用いることができる。しかしながら運搬車両に荷積みや荷下ろしをする全ての場所に安全帯取付け装置を配置するのには費用がかかり、また装置の保管場所を確保する必要があるなどの問題を有している。
【０００７】
本発明の課題は、タンクが大型化した場合であっても足場での作業の高い安全性を確保することができるタンクコンテナを提供することにある。
【課題を解決するための手段】
【０００８】
本発明は、液体もしくは粉体の送出入を可能にする開閉可能なマンホールを上面に備える前後方向に長いタンク、タンクの両側面の前端と後端との各々に立設配置されている支柱及びこれらの支柱の内、タンクの各側面に配置された一対の支柱を互いに連結している梁材とを含む枠体、タンクの上方で且つ少なくとも一方の梁材に沿って配置されている、タンクの前後方向に伸びる足場、そして足場に近接してタンクの上下に架けられている梯子を備えるタンクコンテナに、上記梯子に近接する梁材もしくは足場にタンクの前後方向に沿って互いに間隔をあけて接続され、梁材もしくは足場との接続部位を支点とする前後方向の回転により立ち上げ可能な複数の支柱と、これらの複数の支柱の間に架設され、各支柱との接続部位を支点とする上記回転により上昇する手摺りとが備えられている手摺り付きのタンクコンテナにある。
【０００９】
本発明のタンクコンテナの好ましい態様は、次の通りである。
（１）梯子がタンクの前面側もしくは後面側にてタンクの上下に架けられている。
（２）支柱の各々が梯子の側に立ち上げ可能とされている。
（３）梯子の側の支柱に取っ手が備えられている。
【発明の効果】
【００１０】
本発明のタンクコンテナに備えられている手摺りは、タンクコンテナを積載したトレーラを走行させる際には下降させ、そしてトレーラの走行を停止させてタンクの上の足場で作業を行なう際には上昇させることができる。このため本発明のタンクコンテナは、輸送効率の観点から車両制限令に定められた車高制限の範囲内でタンクを大型化した場合であっても、手摺りが上記車高制限上の問題を生じさせることはなく、そして足場での作業の高い安全性を確保することができる有用なものである。
【発明を実施するための最良の形態】
【００１１】
本発明の手摺り付きのタンクコンテナを、添付の図面を用いて説明する。図１は、本発明の手摺り付きタンクコンテナの構成例を示す斜視図である。図１に示す手摺り付きタンクコンテナ１０は、液体もしくは粉体の送出入を可能にする開閉可能なマンホール１１を上面に備える前後方向に長いタンク１２、タンク１２の両側面の前端と後端との各々に立設配置されている支柱１３及び支柱１３の内、タンク１２の各側面に配置された一対の支柱１３を互いに連結している梁材１４ａ、１４ｂとを含む枠体１５、タンク１２の上方で且つ一方の梁材１４ａに沿って配置されている、タンク１２の前後方向に伸びる足場１６、そして足場１６に近接してタンク１２の上下に架けられている梯子１７を備えるタンクコンテナに、上記梯子１７に近接する足場１６にタンク１２の前後方向に沿って互いに間隔をあけて接続され、足場１６との接続部位１８を支点とする前後方向の回転により立ち上げ可能な複数の支柱１９と、複数の支柱１９の間に架設され、各支柱１９との接続部位２０を支点とする上記回転により上昇する手摺り２１とが備えられた構成を有している。
【００１２】
図１のタンクコンテナ１０においては、作業者は梯子１７を使用してタンク１２の上方に配置された足場１６に登り、足場１６の上をマンホール１１の付近まで歩行して、そしてマンホールから液体や粉体の出し入れする作業を行なう。この際に、足場１６に手摺り２１が備えられているため、作業者は、タンクの下に墜落する危険もなく、足場にて安全に作業を行なうことができる。図１に示すように、手摺り２１の下方にて複数の支柱１９の間にはワイヤ２３が架設されていることが好ましい。これにより、作業者が手摺り２１の下側を通ってタンクの下に墜落することを防止できるからである。また、作業者は、安全帯を装着して、安全帯のフックを手摺り２１、支柱１９、あるいはワイヤ２３に取り付けてタンク上の足場１６で作業を行なうことが更に好ましい。
【００１３】
上記のように、タンクコンテナを積載したトレーラの車高は国土交通省の車両制限令によって所定の高さ以下に制限されているため、輸送効率の観点から大型化したタンクの足場に囲いや手摺りを設けることは難しい。本発明のタンクコンテナ１０の手摺り２１は、タンクコンテナ１０を積載したトレーラを牽引車により走行させる際には下降させておくことができるので、上記のように大型化したタンクに設置されていても車両制限令上の問題を生じさせることはない。そして、トレーラの走行を停止させてタンク１２の上の足場１６で作業を行なう際には、手摺り２１を上昇させることによって、足場１６での作業の高い安全性を確保することができる。なお、本発明のタンクコンテナ１０の複数個を、トレーラや船舶に積載される前にコンテナヤードにて上下に積み重ねて保管する場合には、手摺り２１を下降させれば、手摺り２１や支柱１９をタンクコンテナから取り外す必要はない。
【００１４】
次に、タンクコンテナ１０の手摺２１を上昇させる手順について詳しく説明する。
【００１５】
図２は、図１のタンクコンテナの手摺りが下降した状態を示す図である。但し、図１に示すワイヤ２３の記載は省略してある。図２に示すように、タンクコンテナ１０の複数の支柱１９は、梯子１７に近接する足場１６にタンク１２の前後方向に沿って互いに間隔をあけて接続され、各々の支柱１９は、足場１６との接続部位１８を支点とする前後方向の回転により立ち上げ可能とされている。なお、各々の支柱１９は、梯子１７に近接する梁材１４ａに接続されていてもよい。
【００１６】
各々の支柱１９の足場１６との接続部位１８は、足場１６の下方にて足場の幅方向に沿って（図２の紙面の手前側から奥側へと）延長されている。この支柱１９の延長部は、足場１６の幅方向の両側面の各々に、例えば、ボルト（図３：２４）を用いて固定された一対の支柱接続具２５に形成されている孔に嵌め合わされ、自由に回転できる状態にて一対の接続具２５により支持されている。これにより、各々の支柱１９は、足場１６との接続部位１８を支点とする前後方向の回転により立ち上げ可能とされている。
【００１７】
なお、複数の支柱１９の各々は、足場１６との接続部位１８を支点として図の下側の方向に回転して水平方向に配置されると手摺り２１に接触するため、水平方向よりも下側には回転しない（すなわち、この状態から手摺りが更に下降することはない）が、接続部位１８に大きな荷重（例えば、手摺りの質量）が加わらないように、足場１６の側面に手摺り支持具２６を設けて手摺り２１を支持することが好ましい。足場１６には、タンク１２の前後方向に沿って複数個の手摺り支持具が設けられていてもよい。
【００１８】
図３は、図１のタンクコンテナの手摺りを上昇させている途中の状態を示す図である。図３に示すように、各々の支柱１９を、足場１６との接続部位１８を支点とする回転により立ち上げると、手摺り２１は、各々の支柱１９との接続部位２０を支点とする上記各支柱の回転によって上昇する。なお、手摺り２１と各々の支柱１９とは、例えば、両者を接続するピン２７を支点として各々回転可能とされている。
【００１９】
図３に示すように、梯子１７はタンク１２の後面側（あるいは前面側）にてタンクの上下に架けられていることが好ましい。梯子がタンクの側面の側にて上下に架けられていると、作業者が梯子の上部から足場に移動（あるいは足場から梯子の上部に移動）する際に、立ち上げた支柱や手摺りが邪魔になるからである。なお、梯子がタンクの側面の側にてタンクの上下に架けられている場合であっても、作業者は足場の上に登ってから支柱を立ち上げたり、あるいは支柱を立ち上げた後に梯子の上部から手摺りの下側を通って足場の上に登ったりすることは可能である。
【００２０】
また、支柱１９の各々は、図３に示すように梯子１７の側に立ち上げ可能とされていることが好ましい。これにより梯子１７の上部に登った作業者が、支柱１９を手で持って立ち上げることが容易になるからである。また、梯子１７の側の支柱に取っ手２２が備えられていると支柱の立ち上げが更に容易になる。
【００２１】
図４は、図１のタンクコンテナの手摺りを上昇させた状態を示す図である。図４に示すように、支柱１９の各々を足場１６に垂直に立ち上げると、梯子１７の側の支柱１９の下方と足場１６とを結ぶ支柱仮固定具２８によって、各々の支柱は垂直に立ち上げられた状態にて仮固定される。支柱仮固定具２８は、足場１６にピン２９を介して接続されており、足場１６との接続部位を支点に回転可能とされている。支柱仮固定具２８には、その長さ方向に沿って長孔３０が形成されており、この長孔３０はその一方の端部に長孔に対して略垂直方向に伸びる延長部（図３：３１）を有している。そして、足場１６の側の支柱１９が足場に垂直に立ち上げられると、支柱仮固定具２８の長孔３０の延長部（図３：３１）に、支柱１９と仮固定具２８とを互いに可動な状態にて接続しているピン３２が挿入され、各々の支柱１９は足場に垂直に立ち上げられた状態にて仮固定される。従って、手摺り２１は、足場の上に上昇した状態で仮固定される。
【００２２】
このように、本発明のタンクコンテナは、昇降可能な手摺りを備えているために、タンクが大型化した場合であっても足場での高い安全性を確保できる有用なものである。
【図面の簡単な説明】
【００２３】
【図１】本発明の手摺り付きタンクコンテナの構成例を示す斜視図である。
【図２】図１のタンクコンテナの手摺りが下降した状態を示す図である。但し、図１に示すワイヤ２３の記載は省略してある。
【図３】図１のタンクコンテナの手摺りを上昇させている途中の状態を示す図である。
【図４】図１のタンクコンテナの手摺りを上昇させた状態を示す図である。
【符号の説明】
【００２４】
１０  手摺り付きのタンクコンテナ
１１  マンホール
１２  タンク
１３  支柱
１４ａ、１４ｂ  梁材
１５  枠体
１６  足場
１７  梯子
１８  支柱と足場との接続部位
１９  支柱
２０  支柱と手摺りとの接続部位
２１  手摺り
２２  取っ手
２３  ワイヤ
２４  ボルト
２５  支柱接続具
２６  手摺り支持具
２７  ピン
２８  支柱仮固定具
２９  ピン
３０  長孔
３１  延長部
３２  ピン                                                                        
【図１】
2007131332.tif 000003
【図２】
2007131332.tif 000004
【図３】
2007131332.tif 000005
【図４】
2007131332.tif 000006